【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
購入済みのある量の電力量が予めチャージされた非接触インテリジェント・カードと、
非接触インテリジェント・カード用のリーダ・ライタを内部に備えた電子式電気エネルギー・メータと、
一対のセキュリティ・モジュールと、顧客への請求書に関する情報および供給業者のデータベースに記録された情報維持管理する集金システムへ、通信インタフェースを介して接続されたサーバとを有する販売拠点を含んだネットワークと、
を使用する電気エネルギー前払い方法であって、
非接触前払い制御盤によってメータから無線周波数の信号を発信する工程と、
気密性、防水性を有する電子式電気エネルギー・メータの検出フィールドで非接触前払いインテリジェント・カードの存在を検出する工程と、
メータと非接触インテリジェント・カードとの間で無線周波数を用いて情報交換を行う工程と、
２つ以上のデジタル署名とメータのシリアル番号とによって、前払いインテリジェント・カードと非接触インテリジェント・カード用の内部リーダ・ライタとを相互に認証する工程と、
非接触前払いインテリジェント・カードが前払いされたｋＷｈ量のゼロより大きいクレジットを有するか否かを決定する工程と、
インテリジェント前払いカードの前払いされたｋＷｈ量を電子式メータのメモリに引き落としおよび記録する工程と、
メータの状態に関して生成された全ての情報を非接触前払いインテリジェント・カードに記録する工程であって、得られた情報は、メータの寿命の間にユーザによって消費されたエネルギーと、メータのクレジットと、切断、割り込み、誘導、誘導や反転によるエネルギーの蓄積などによるメータの改ざんとを有する工程と、
を含むことを特徴とする前記方法。
【請求項２】
請求項１記載の電気エネルギー前払い方法であって、更に、
電子式電気エネルギー・メータの検出フィールドで非接触前払いインテリジェント・カードの存在を検出する前記工程が、
電気エネルギー・メータの検出フィールドで２つ以上の非接触前払いインテリジェント・カードが存在するか否かを決定する工程と、
予め規定された無線周波数によるデータ送信プロトコルに従って、非接触前払いインテリジェント・カードを選ぶ工程と、
を含むことを特徴とする前記方法。
【請求項３】
請求項１記載の電気エネルギー前払い方法であって、更に、
前払いインテリジェント・カードの前払いされたｋＷｈ量を電子式メータに引き落としする工程が、一部又はすべての引き落としのいずれかであり、そのいずれかは、非接触前払いインテリジェント・カードに記録された予め定められた量に依存することを特徴とする前記方法。
【請求項４】
請求項１または３記載の電気エネルギー前払い方法であって、更に、
前払いインテリジェント・カードの前払いされたｋＷｈ量を電子式メータに引き落としする前記工程が、
メータ中に残存するクレジットを読み出す工程と、
インテリジェント・カードから引き落としされた一部又はすべてのクレジットをメータ中の残存量に加える工程と、
前払いされたクレジットの新しい値をメータに記録する工程と、
を含むことを特徴とする前記方法。
【請求項５】
請求項１記載の電気エネルギー前払い方法であって、更に、
電子メータから転送され、非接触前払いインテリジェント・カードに記録される情報が、パワー・ファクタ、ラインの品質、並びに切断、反転、誘導の存在および同様な行為などのメータ改ざんを含むことを特徴とする前記方法。
【請求項６】
請求項１から５の任意の項記載の電気エネルギー前払い方法であって、更に、
電子式メータの非接触インテリジェント・カードの内部リーダ・ライタが数秒の間だけ活性化されることによって、メータの検出フィールドで非接触前払いインテリジェント・カードの存在を検出し、データ送信の認証処理を実行し、エネルギー供給業者へのエネルギーを節約することを特徴とする前記方法。
【請求項７】
請求項１記載の電気エネルギー前払い方法であって、更に、
電子式メータのメモリの前払いされたクレジットを読み出す工程と、
前払いされたクレジットが０よりも大きいか否かを検証する工程と、
自動供給遮断装置の状態を検証して、それが開いているか閉じているかを判断する工程と、
読み出された前払いされたクレジットに基づいて、自動電気エネルギー供給遮断装置を開閉させる信号を発生させる工程と、
を含み、
クレジットが０より大きい場合に自動供給遮断装置を閉じてメータへの電気エネルギー供給を許可する信号を生成し、また残りが０よりも大きくない場合に自動供給遮断装置を開いてユーザへの電気エネルギー供給を中断させるコマンドを生成することを特徴とする前記方法。
【請求項８】
請求項１記載の電気エネルギー前払い方法であって、更に、
メータの状態、エネルギー供給およびメータの改ざんに関連したデータについて生成された情報が、電子メータのメモリに記録され、
前記非接触インテリジェント・カードに記録された情報を、ユーザが前払いされたｋＷｈをこの再利用可能なカードにリチャージするたびに、販売地点を通してデータベースに引き落としして、エネルギー供給業者が解析できるようにする工程と、
を含むことを特徴とする前記方法。
【請求項９】
請求項１記載の電気エネルギー前払い方法であって、更に、
得られる情報がメータの寿命の間にユーザによって消費されたエネルギー、メータのクレジット並びに切断、割り込み、誘導、誘導および反転の使用中に累積したエネルギーなどのメータ改ざんを含むことを特徴とする前記方法。
【請求項１０】
気密性、防水性を有する電子式メータ用の非接触インテリジェント・カードと、
ユーザによって消費された電気エネルギーを登録する測定モジュールを有する電気エネルギー計測盤を含んだタイプの電子式メータと、
メータの寿命の間にユーザによって消費されたエネルギーおよびメータ改ざんに関して測定モジュールで生成される情報を記録するフラッシュ・メモリを有し、エネルギー測定モジュールの動作を制御するマイクロコントローラと、
メータの状態に関する情報を表示する液晶ディスプレイと、
前記エネルギー測定モジュールおよび前記マイクロコントローラ用の独立した電力供給源と、
一対のセキュリティ・モジュールと、顧客への請求書に関する情報および供給業者のデータベースに記録された情報維持管理する集金システムへ、通信インタフェースを介して接続されたサーバとを有する販売拠点を含んだネットワークと、
を含んだ電気エネルギー供給に関する前払いおよび制御システムであって、
電子式メータが、
ａ）非接触前払い制御およびエネルギー供給遮断基盤であって、そのような制御基盤が
ｉ）非接触前払いインテリジェント・カードの存在を検出し、非接触前払いインテリジェント・カードのコマンドを解釈し、無線周波数パワー信号を送信する非接触インテリジェント・カードの無線リーダ・ライタ要素であって、前払いカードの信憑性を認証および承認し、転送されたデータを符号化し、引き落とし前に前記非接触前払いカードの前払いカードの特別使用に関してマイクロコントローラのメモリに記録された情報の信憑性の承認を行う暗号化／解読モジュールを含む無線リーダ・ライタ要素と、
ｉｉ）前払いカードのリーダ・ライタ要素とメータのエネルギー測定モジュールのマイクロコントローラとの間で情報交換するマイクロコントローラであって、エネルギー測定基盤中のユーザが利用可能な電気エネルギー量を読み出す前記マイクロコントローラと、
ｉｉｉ）電気供給障害の間に情報が失われるのを避けるために、エネルギー障害が現れたときにマイクロコントローラに対してコマンドを送信し、リレーの開閉を行う電気エネルギーのゼロ交差検出器と、
ｉｖ）マイクロコントローラが要求するときに、カットさせるコマンド又は開くコマンドによって前記遮断装置を開閉する供給遮断装置のコントローラと、
ｖ）前払い制御基盤の電力供給源であって、電気エネルギー供給があったときにエネルギー源が作動し、供給障害があったときは、すべてのエネルギー取引に関する情報をバックアップするのに十分な時間、せいぜい１秒間作動する電力供給源と、
を含む非接触前払い制御およびエネルギー供給遮断基盤と、
ｂ）エネルギー供給遮断装置と、
ｃ）信号送信／受信要素と、
を含むことを特徴とする前記システム。
【請求項１１】
請求項１０記載の前払いおよび制御システムであって、更に、
非接触カードのリーダ・ライタが前払いカードの信憑性を認証および承認し、転送されたデータを符号化し、引き落とし前に前記非接触前払いカードの特別使用のプリント回路又はマイクロコントローラのメモリに記録された情報の認証および承認を行う暗号化／解読モジュールを含むことを特徴とする前記システム。
【請求項１２】
請求項１０記載の前払いおよび制御システムであって、更に、
非接触リーダ・ライタを認証および承認する情報がメータ番号、契約番号、カードに最後にロードした日付、セキュリティ・キー、前払いされたｋＷｈ量のデータおよび／又は引き落としによってメータに転送すべき前払いされたｋＷｈ量であることを特徴とする前記システム。
【請求項１３】
請求項１０記載の前払いおよび制御システムであって、更に、
非接触前払い制御基盤から引き落としされた電気エネルギーの前払いされた量のデータが測定モジュールのマイクロコントローラのフラッシュ・メモリに記録されることを特徴とする前記システム。
【請求項１４】
請求項１０記載の前払いおよび制御システムであって、更に、
メータの液晶ディスプレイがユーザによって前払いされた利用可能なエネルギーの情報を表示するほか、引き落としできるときは、非接触前払いカードから前払いされたｋＷｈ量およびユーザに対してカードをメータの近くに置いて前払いされたｋＷｈ量の引き落としを開始させるように指示する特別な情報を含むことを特徴とする前記システム。
【手続補正２】
【補正対象書類名】明細書
【補正対象項目名】発明の名称
【補正方法】変更
【補正の内容】
【発明の名称】自動エネルギー遮断装置を備えた非接触インテリジェント・カードを使用するエネルギー・メータ用の電気エネルギー前払い方法ならびに前払いおよび制御システム
【手続補正３】
【補正対象書類名】明細書
【補正対象項目名】００４１
【補正方法】変更
【補正の内容】
【００４１】
動作時に、本発明の非接触インテリジェント・カードによる電気エネルギーの前払いシステムは、エネルギー供給遮断機能を備えた非接触前払い制御非接触カードを通してメータにロードされる。それは、前払いカードの検出および承認の動作を実行し、それと同時に、図３および図４のフロー図に従って前払いシステムおよびメータへのエネルギー供給を制御する。特別な方法で、非接触前払い制御およびエネルギー供給停止カード３のマイクロコントローラ７およびそれは、本発明の前払いシステムを制御するとともに、メータ１８、前払いカード１５およびエネルギー測定カード９間の前払いに関する通信を制御し、システムのマイクロコントローラの残りの部分から独立して動作する。
【手続補正４】
【補正対象書類名】明細書
【補正対象項目名】００５２
【補正方法】変更
【補正の内容】
【００５２】
【図１】本発明の好適な態様に従うエネルギーの前払い測定システムを示す簡略図。
【図２】本発明の好適な態様に従う電子式メータに組み込まれた前払いシステムの簡略化ブロックで示した機能図。
【図３】図１および２のエネルギー前払い測定システムの動作を説明するのに有用なフロー図。
【図４】図１および２のエネルギー前払い測定システムの動作を説明するのに有用なフロー図。
【手続補正５】
【補正対象書類名】図面
【補正対象項目名】図１
【補正方法】変更
【補正の内容】
【図１】
2008516354.tif 000001
【手続補正６】
【補正対象書類名】図面
【補正対象項目名】図２
【補正方法】変更
【補正の内容】
【図２】
2008516354.tif 000002